(57)【要約】【課題】回転体の回転速度に依存されることなく、センサの異常を当該センサ自身により検出して出力することが可能な回転検出センサを提供する。【解決手段】回転体３０の回転に応じてそれぞれパルス状の回転検出信号Ｓ１、Ｓ２を出力する２つの回転検出部１と、回転検出部１からそれぞれ出力される２相の回転検出信号Ｓ１、Ｓ２に基づいて、回転体３０の回転方向を検出する回転方向検出部４と、回転検出部１の異常を検出する異常検出部６と、回転検出部１が正常な場合には、回転体３０の回転方向及び回転速度を示すパルス状の第１出力信号及び第２出力信号を生成して出力し、回転検出部１の一方が異常である場合は、第１出力信号及び第２出力信号とは異なるパルス形状を有し、異常状態及び回転体３０の回転速度を示す第３出力信号を生成して出力する信号処理部８と、を備える。【選択図】図１
2009103617.tif 000002
【特許請求の範囲】
【請求項１】
回転体の回転に応じてそれぞれパルス状の回転検出信号を出力する２つの回転検出部と、
前記回転検出部からそれぞれ出力される２相の前記回転検出信号に基づいて、前記回転体の回転方向を検出する回転方向検出部と、
前記回転検出部の異常を検出する異常検出部と、
前記回転検出部、前記回転方向検出部、及び前記異常検出部の検出結果に基づいて、
前記回転体が正方向へ回転する場合は、前記回転体の回転方向及び回転速度を示すパルス状の第１出力信号を生成して出力し、
前記回転体が逆方向へ回転する場合は、前記第１出力信号とは異なるパルス形状を有し、前記回転体の回転方向及び回転速度を示す第２出力信号を生成して出力し、
前記回転検出部の一方が異常である場合は、前記第１出力信号及び前記第２出力信号とは異なるパルス形状を有し、異常状態及び前記回転体の回転速度を示す第３出力信号を生成して出力する信号処理部と、
を備える回転検出センサ。
【請求項２】
前記異常検出部の検出結果に基づいて、前記回転検出部をリセットするリセット部を有する請求項１に記載の回転検出センサ。
【請求項３】
前記異常検出部は、２相の前記回転検出信号の何れか一方が、所定時間に亘ってパルスの切り替わりがないと判定した場合、又は所定の電圧範囲を外れていると判定した場合に、前記回転検出部の異常を検出する請求項１又は２に記載の回転検出センサ。
【請求項４】
前記信号処理部は、
前記異常検出部が前記回転検出部の異常を検出しない場合には、２相の前記回転検出信号を用いて、２相の前記回転検出信号の何れとも異なる波形の前記第１出力信号及び前記第２出力信号を生成して出力し、
前記異常検出部が前記回転検出部の異常を検出した場合には、２相の前記回転検出信号の内、正常な前記回転検出信号を前記第３出力信号として出力する、
請求項１〜３の何れか一項に記載の回転検出センサ。
【請求項５】
前記信号処理部は、２相の前記回転検出信号の内の一方のパルスがハイレベルとなっている区間における他方のパルスの状態に応じて前記第１出力信号及び前記第２出力信号を生成する請求項1〜４の何れか一項に記載の回転検出センサ。
【請求項６】
前記信号処理部は、２相の前記回転検出信号の内の一方のパルスがハイレベルとなっている区間において他方のパルスを重畳することによって前記第１出力信号及び前記第２出力信号を生成する請求項１〜４の何れか一項に記載の回転検出センサ。
【発明の詳細な説明】
【技術分野】
【０００１】
本発明は、回転体の回転方向及び回転速度を検出し、回転方向によって異なる波形を回転速度に応じたタイミングで出力する回転検出センサに関する。
【背景技術】
【０００２】
アンチロックブレーキシステム（ABS）や車両の安定走行制御装置等の車載システムでは、その制御を行うために、回転体としての車輪の回転速度（回転数）や回転方向を検出する回転検出センサが利用されている。
【０００３】
下記に出典を示す特許文献１には、回転体の回転速度と共に回転方向（正方向の回転あるいは逆方向の回転）を示すことが可能な信号を出力する回転センサの検出信号処理装置の技術が開示されている。この出力信号はパルスの周期により回転体の回転速度を示し、パルスの波形（パルス幅や振幅の大きさ、形状など）により回転体の回転方向を示す。
【０００４】
また、この検出信号処理装置は、出力信号に回転速度及び回転方向以外の他の情報を含めて出力可能に構成されている。そして、そのような他の情報は、回転体の回転速度が所定の回転速度以上となった後に出力信号に付加される。この際、出力信号は、引き続きパルスの周期により回転体の回転速度を示すが、パルスの波形により回転体の回転方向を示すものではなくなる。当該パルスの波形は、回転方向を示すものではなく回転にかかわる付加情報を示すものとして用いられる。回転体が正回転方向あるいは逆回転方向の何れかの回転方向で回転を始め、その回転速度が所定回転速度以上となっている状態では、回転方向が急に変化することはない。つまり、回転方向を示す信号を出力しなくとも、既に出力した信号により認識された回転方向が維持されているとみなすことができるので、パルスの波形を用いて回転にかかわる付加情報が示される。ここで、付加情報には、回転センサの故障などの異常状態の検出結果を含むものである。特許文献１の検出信号処理装置は、回転にかかわる付加情報として回転センサの異常状態を示すエラーコードを生成するエラーコード発生回路を備えている。そして、回転センサの異常状態を出力信号を介して、ＥＣＵ（electronic control unit）などの後段の制御装置に伝達することができる。
【０００５】
下記に出典を示す特許文献２には、車両の前後左右の４つの車輪にそれぞれ備えられた４つの回転センサの出力信号をＥＣＵで比較することによって回転センサの異常状態を判定する方法が記載されている。例えば、１つのセンサにより検出された回転体の回転方向が、他の３つの回転センサにより検出された回転方向と異なる場合に、当該１つの回転センサが異常状態と判定される。
【０００６】
【特許文献１】特開２００１−１６５９５１号公報（第６−１１、２５−４６段落、図３、図７、図８、等）
【特許文献２】特開２００２−２２８６７３号公報（第８段落、図１、等）
【発明の開示】
【発明が解決しようとする課題】
【０００７】
特許文献１に記載の技術は、回転速度を示す出力信号に回転にかかわる付加情報を示す他の信号を重畳させるものではない。従って、回転速度が上がって回転速度を示すパルスの間隔が短くなり、他の信号を重畳処理することが困難になるなど、回転速度による制約を受けることなく回転にかかわる付加情報を伝送することができる。また、回転速度信号に重畳される他の信号がノイズによって悪影響を受ける可能性も減少する。しかし、特許文献１の技術では、回転体の回転速度が所定の回転速度以上となった後でなければ、回転センサの異常状態を伝送することができない。また、特許文献１の検出信号処理装置は、回転センサの異常状態を示すエラーコードを生成するエラーコード発生回路を備えている。このため、信号処理機能の増大に伴って、検出信号処理装置の回路規模を増大させるおそれがある。検出信号処理装置を集積回路などによって構成する場合には、集積回路を構成するチップ面積を増大させ、コストを増大させる可能性がある。あるいは、回転センサの回転検知部と各種の信号を処理する信号処理回路とをワンチップ化する場合は、チップ面積の増大は、回転センサとしてチップを実装する自由度を狭くし、また、チップ面積の増大は、回転センサを小型化する上での制約となる。
【０００８】
特許文献２に記載の方法は、ＥＣＵなど回転センサとは別の制御装置において回転センサの異常を判定するものであり、回転センサ単体において異常を判定することができない。
【０００９】
本願発明は、上記課題に鑑みて創案された回転検出センサに係る発明であり、回転体の回転速度に依存されることなく、当該回転検出センサの異常状態を当該回転検出センサ自身により検出して、その検出結果を出力することを可能とすることを目的とする。
【課題を解決するための手段】
【００１０】
上記目的を達成するための本発明に係る回転検出センサの特徴構成は、
回転体の回転に応じてそれぞれパルス状の回転検出信号を出力する２つの回転検出部と、
前記回転検出部からそれぞれ出力される２相の前記回転検出信号に基づいて、前記回転体の回転方向を検出する回転方向検出部と、
前記回転検出部の異常を検出する異常検出部と、
前記回転検出部、前記回転方向検出部、及び前記異常検出部の検出結果に基づいて、
前記回転体が正方向へ回転する場合は、前記回転体の回転方向及び回転速度を示すパルス状の第１出力信号を生成して出力し、
前記回転体が逆方向へ回転する場合は、前記第１出力信号とは異なるパルス形状を有し、前記回転体の回転方向及び回転速度を示す第２出力信号を生成して出力し、
前記回転検出部の一方が異常である場合は、前記第１出力信号及び前記第２出力信号とは異なるパルス形状を有し、異常状態及び前記回転体の回転速度を示す第３出力信号を生成して出力する信号処理部と、
を備える点にある。
【００１１】
この特徴構成によれば、回転検出部の一方が異常である場合に、回転体の回転速度に拘らず、回転検出センサから、異常状態を示すと共に回転体の回転速度を示す第３出力信号が出力される。本発明の回転検出センサは、従来のセンサのように、回転体の速度が所定の速度を超えた後に異常状態を示す信号が出力可能となるのではなく、回転速度に拘らず異常状態を示す信号（第３出力信号）を出力することができる。また、この第３出力信号は、少なくとも回転速度を示すことが可能である。従って、回転検出センサの出力を受け取って種々の制御を実施する制御装置は、何れか一方の回転検出部に異常が生じていても、最も重要と考えられる回転体の回転速度の情報を得ることができる。また、第３出力信号は、回転方向を示す第１出力信号及び第２出力信号とは異なる波形の信号であるから、当該制御装置が誤った回転方向情報を得ることはない。さらに、異常状態を示す第３出力信号は、回転検出センサ内の判定により生成され出力されるので、異常状態の検出のために当該回転検出センサとは別の制御装置を必要とはしない。
このように、本特徴構成によれば、回転体の回転速度に依存されることなく、回転センサの異常を当該回転検出センサ自身により検出して出力することが可能な回転検出センサを提供することが可能となる。
【００１２】
また、本発明に係る回転検出センサは、前記異常検出部の検出結果に基づいて、前記回転検出部をリセットするリセット部を有することを特徴とする。
【００１３】
回転検出部に生じる異常状態は、回転検出部の設定を初期状態に戻すこと、つまりリセットすることによって解消する場合がある。従来は、このようなリセットはセンサへの電源を断って再度電源を投入することに行われた。このような操作は、当該サンサを制御する制御装置によって行われる。従って、軽微な異常であっても制御装置へ異常を伝達し、制御装置からリセット操作を実行してもらう必要があった。このため、リセットによって解消する異常ではあっても、異常が解消するまでに時間を要した。本特徴構成によれば、電源を操作することなく、回転検出センサが回転検出部をリセットすることが可能である。従って、リセットにより解消する程度の異常については、迅速に解消させることができる。また、回転検出センサからの検出信号を受け取る制御装置は、余分な制御を実施することもなく、正常な出力信号を受け取ることができる。
【００１４】
また、本発明に係る回転検出センサは、前記異常検出部が、２相の前記回転検出信号の何れか一方が、所定時間に亘ってパルスの切り替わりがないと判定した場合、又は所定の電圧範囲を外れていると判定した場合に、前記回転検出部の異常を検出することを特徴とする。
【００１５】
この特徴構成によれば、回転検出信号の信号状態により回転検出部の異常を検出する。従って、簡単な回路構成により異常検出部を構成することができる。
【００１６】
また、本発明に係る回転検出センサは、前記信号処理部が、以下のように前記第１出力信号、前記第２出力信号、前記第３出力信号を生成して出力することを特徴とする。
即ち、前記信号処理部は、前記異常検出部が前記回転検出部の異常を検出しない場合には、２相の前記回転検出信号を用いて、２相の前記回転検出信号の何れとも異なる波形の前記第１出力信号及び前記第２出力信号を生成して出力する。
また、前記信号処理部は、前記異常検出部が前記回転検出部の異常を検出した場合には、２相の前記回転検出信号の内、正常な前記回転検出信号を前記第３出力信号として出力する。
【００１７】
この特徴構成によれば、２相の回転検出信号の内、何れか一方が異常である場合、正常な回転検出信号が第３出力信号として出力される。回転検出信号は、１相のみで回転速度を示す情報を備えているので、少なくとも回転速度を示す第３出力信号として充分に機能する信号である。従って、例えばエラーコード生成回路のような複雑な回路を用いることなく、例えばマルチプレクサのような簡単な回路を用いて異常状態を示す第３出力信号を生成することができる。
【００１８】
また、本発明に係る回転検出センサの前記信号処理部は、２相の前記回転検出信号の内の一方のパルスがハイレベルとなっている区間における他方のパルスの状態に応じて前記第１出力信号及び前記第２出力信号を生成する。
【００１９】
回転検出部が正常な場合、２相の回転検出信号は互いに位相の異なる信号である。従って、一方の回転検出信号のパルスがハイレベルとなっている区間における他方のパルスの状態は、回転方向によって異なるものとなる。本特徴構成によれば、２相の回転検出信号の一方のパルスがハイレベルとなっている区間における他方のパルスの状態に応じて第１出力信号及び第２出力信号が生成される。従って、回転方向に応じて互いに異なるパルス形状を有する第１出力信号及び第２出力信号を生成することができる。また、回転検出部に異常が生じている場合には、２相の回転検出信号を用いて第２出力信号を生成することはできないから、何れか一方の回転検出信号を用いて出力信号が生成される。従って、正常時と異常時とにおいて回転検出センサから出力される信号のパルス形状が異なるものとなる。この際、２相の前記回転検出信号の内、正常な回転検出信号を第３出力信号として出力すると、簡単な構成で、第１出力信号と第２出力信号と第３出力信号とを明確に区別可能なものとすることができて好適である。その結果、回転検出センサからの出力信号を受け取り、種々の制御を実施する制御装置は、正確に回転検出センサからの出力から情報を取得することができる。
【００２０】
また、本発明に係る回転検出センサの前記信号処理部は、２相の前記回転検出信号の内の一方のパルスがハイレベルとなっている区間において他方のパルスを重畳することによって前記第１出力信号及び前記第２出力信号を生成する。
【００２１】
この特徴構成によれば、回転検出部が正常な場合には、２相の回転検出信号の一方に、他方の一部が重畳された波形が、回転検出センサから出力される。回転検出部が正常な場合、２相の回転検出信号は互いに位相の異なる信号である。従って、一方の回転検出信号のパルスがハイレベルとなっている区間において他方のパルスがハイレベルとなっている区間は、回転方向によって異なるものとなる。従って、回転検出信号の内の一方のパルスがハイレベルとなっている区間において他方のパルスを重畳することによって回転方向に応じて互いに異なるパルス形状を有する第１出力信号及び第２出力信号を生成することができる。また、回転検出部に異常が生じている場合には、正常な何れか一方の回転検出信号しか用いることができず、異常な他方の回転検出信号を重畳することはできない。このため、何れか一方の回転検出信号を用いて出力信号が生成される。従って、正常時と異常時とにおいて回転検出センサから出力される信号のパルス形状が異なるものとなる。この際、２相の前記回転検出信号の内、正常な回転検出信号を第３出力信号として出力すると、簡単な構成で、第１出力信号と第２出力信号と第３出力信号とを明確に区別可能なものとすることができて好適である。その結果、回転検出センサからの出力信号を受け取り、種々の制御を実施する制御装置は、正確に回転検出センサからの出力から情報を取得することができる。
【発明を実施するための最良の形態】
【００２２】
〔第１実施形態〕
以下、本発明を車両の車輪の回転を検出する回転検出センサに適用した場合を例として、本発明の実施形態を図面に基づいて説明する。当該回転検出センサは、アンチロックブレーキシステム（ABS）や車両の安定走行制御装置等の車載システムの制御に必要な各車輪の回転状態を検出するために、各車輪に設けられるものである。
【００２３】
図１は、本実施形態の回転検出センサの構成例を模式的に示すブロック図である。図１に示すように、回転検出センサ２０は、回転方向及び回転速度（回転数・回転周波数）を検出する対象である回転体３０の近傍に設置される。回転体３０には、不図示の車輪と一体となって回転する磁石３１が備えられている。この磁石３１は、回転体３０の外周部において周方向に所定ピッチで設けられている。また、磁石３１は、径方向外側に向かって交互にＮ極及びＳ極となるように着磁形成されている。図１では簡略化のため、１２極（６極対）の磁極が形成されている場合を図示している。
【００２４】
回転検出センサ２０は、磁気センサ２を有する磁気検出部１（回転検出部）を２つ有している。磁気センサ２は、磁気抵抗素子を用いて構成されている。回転検出センサ２０は、第１磁気センサ２Ａ及び第２磁気センサ２Ｂが、それぞれ回転体３０の磁石３１と対向する状態で配置される。第１磁気センサ２Ａと第２磁気センサ２Ｂとは、磁石３１の一対のＮ極及びＳ極のピッチの距離の整数倍の距離に、当該ピッチの１／４の距離を加算又は減算した距離をおいて配置される。
【００２５】
第１磁気センサ２Ａ及び第２磁気センサ２Ｂの出力は正弦波状であるが、前処理部３（３Ａ、３Ｂ）において波形成形される。前処理部３は、インピーダンス変換回路、増幅回路、コンパレータなどを含んで構成されている。そして、磁気検出部１（１Ａ、１Ｂ）からは図２に示すような矩形波状の回転検出信号Ｓ（Ｓ１及びＳ２）が出力される。ここで、回転検出信号Ｓ１は、第１磁気検出部１Ａから出力される信号であり、回転検出信号Ｓ２は、第２磁気検出部１Ｂから出力される信号である。上述したように、第１磁気センサ２Ａと第２磁気センサ２Ｂとは、磁石３１のピッチの整数倍の距離に当該ピッチの１／４の距離を加算又は減算した距離をおいて配置される。従って、回転検出信号Ｓ１とＳ２とは、図２に示すように互いの位相が概ね１／４周期異なる信号となる。
【００２６】
詳細は後述するが、このように２相の回転検出信号Ｓ１とＳ２との位相が異なることにより、回転体３０の回転方向を検出することが可能となる。尚、図２には、回転体３０が正回転する場合の回転検出信号Ｓ１及びＳ２の波形が示されている。追って説明する図３には、回転体３０が逆回転する場合の回転検出信号Ｓ１及びＳ２の波形が示されている。
【００２７】
回転検出センサ２０は、磁気検出部１の他、回転方向検出部４、回転速度検出部５、異常検出部６、リセット部７、信号処理部８、電流出力部９、電源部１０等の機能部を有している。以下、各機能部について説明する。
【００２８】
回転方向検出部４は、２つの磁気検出部１Ａ及び１Ｂから出力される２相の回転検出信号Ｓ１及びＳ２に基づいて回転体３０の回転方向を検出する。図２に示すように回転体３０が正方向に回転する場合には、第１磁気センサ２Ａの回転検出信号Ｓ１の位相が、第２磁気センサ２Ｂの回転検出信号Ｓ２の位相よりも進んでいる。しかし、図３に示すように回転体３０が逆方向に回転する場合には、第２磁気センサ２Ｂの回転検出信号Ｓ２の位相が、第１磁気センサ２Ａの回転検出信号Ｓ１の位相よりも進んでいる。従って、２相の回転検出信号Ｓ１及びＳ２の位相関係から、回転方向を検出することができる。回転方向検出部４はこの原理に基づいて回転体３０の回転方向を検出する。
【００２９】
回転速度検出部５は、２相の回転検出信号Ｓ１及びＳ２の少なくとも一方を用いて、回転体３０の回転速度を検出する。回転検出信号Ｓ１及びＳ２は、位相が異なるのみで、回転体の回転速度に応じた同じ周波数の信号である。従って、何れか一方の回転検出信号の周波数を測定することにより、回転体３０の回転速度（回転周波数・回転数）を検出することができる。例えば、回転速度検出部５は、回転検出信号Ｓ１のみを用いて回転速度を検出するように構成されてもよい。そして、磁気検出部１Ａの異常時など、回転検出信号Ｓ１を用いることができない場合に回転検出信号Ｓ２を用いるように構成されてもよい。当然ながら、逆に、通常時に回転検出信号Ｓ２が用いられ、磁気検出部Ｓ２の異常時に回転検出信号Ｓ１が用いられてもよい。また、回転検出信号Ｓ１及びＳ２の双方を用いて回転速度を検出し、その平均をとってもよい。
【００３０】
異常検出部６は、磁気検出部１の異常を検出する機能部である。異常検出部６は、回転検出信号Ｓ１及びＳ２の状態を測定して異常を検出する。図４及び図５は、回転検出信号Ｓ（Ｓ１、Ｓ２）が正常ではない場合の波形例である。
【００３１】
異常検出部６は、図４に示すように、通常のパルスの一周期の時間よりも長く設定された所定時間Ｔに亘ってパルスの変化がない場合に、回転検出信号Ｓが正常ではないと判定する。そして、その回転検出信号Ｓに対応する磁気検出部１の異常を検出する。尚、回転検出信号Ｓのパルスの一周期の時間は、回転体３０の回転速度によって異なるため、回転速度検出部５で検出された回転速度に応じて所定時間Ｔを変更すると好適である。
【００３２】
また、異常検出部６は、図５に示すように、回転検出信号Ｓが所定のＨｉ電圧範囲、及びＬｏ電圧範囲の何れか一方又は双方を外れる場合に、回転検出信号Ｓが正常ではないと判定する。そして、その回転検出信号Ｓに対応する磁気検出部１の異常を検出する。
【００３３】
上述したような異常は、前処理部３において実施される磁気センサ２の出力に対する信号処理において、しきい値がずれたり、オフセット調整やゲイン調整に異常をきたしたりすること等に起因して生じる。前処理部３は、回転体３０に鉄片が短時間吸着したことによる磁気センサ２に作用する空間の磁界の乱れや、磁気センサ２が感知する磁界の大きさあるいは磁束密度の変化、急激な温度変化などに対して、しきい値やオフセット値などの種々のパラメータを変更して追従しようとする。その際に不整合が生じると、前処理部３を介して磁気検出部１から出力される回転検出信号Ｓが異常となる。リセット部７は、異常検出部６の検出結果に基づいて、異常が検出された磁気検出部１をリセットする機能部である。具体的には、前処理部３におけるしきい値やＨｉ電圧範囲、Ｌｏ電圧範囲、ピーク電圧設定値、ボトム電圧設定値、オフセット値、ゲインなどの設定が初期値に戻される。尚、リセット部７が、正常な磁気検出部１を含め、双方の磁気検出部１をリセットするように構成されていても構わない。
【００３４】
信号処理部８は、回転方向及び回転速度を示す信号、あるいは磁気検出部１の異常状態及び回転速度を示す信号を生成して出力する機能部である。図２に示す信号Ｑ１は、回転体３０が正方向へ回転する際に生成され、出力される出力信号（第１出力信号）の一例である。図３に示す信号Ｑ２は、回転体３０が逆方向へ回転する際に生成され、出力される出力信号（第２出力信号）の一例である。図６に示す信号Ｑ３は、第２磁気検出部１Ｂが異常であり、回転検出信号Ｓ２が異常である際に生成され、出力される出力信号（第３出力信号）の一例である。
【００３５】
図２及び図３に示す第１出力信号Ｑ１及び第２出力信号Ｑ２は、一方の回転検出信号Ｓ１のパルスがＨｉ状態（ハイレベル）となっている区間における他方の回転検出Ｓ２のパルスの状態に応じて生成される。具体的には、第１出力信号Ｑ１及び第２出力信号Ｑ２は、第１磁気検出部１Ａの回転検出信号Ｓ１がＨｉ状態の時に、第２磁気検出部２Ａの回転検出信号Ｓ２を重畳した波形として生成される。図２及び図３に示すように、回転検出信号Ｓ１のＨｉ状態のパルス幅よりも狭幅のパルスが、当該Ｈｉ状態のパルス上に重畳される。
【００３６】
このように、第１出力信号Ｑ１及び第２出力信号Ｑ２は、２相の回転検出信号Ｓ１及びＳ２を用いて生成された信号であり、２相の回転検出信号Ｓ１及びＳ２とは異なる波形を有する信号である。また、第１出力信号Ｑ１と第２出力信号Ｑ２とは、図２及び図３から明らかなように、回転方向によって狭幅のパルスが重畳される位置が異なる。即ち、第１出力信号Ｑ１と第２出力信号Ｑ２とは、互いに異なるパルス形状を有する信号である。このパルス形状（波形）の違いによって、第１出力信号Ｑ１及び第２出力信号Ｑ２は、それぞれ回転方向を示す情報を含んだ出力信号となる。一方、第１出力信号Ｑ１及び第２出力信号Ｑ２のパルス周期は、回転検出信号Ｓ１（及びＳ２）と同じである。従って、第１出力信号Ｑ１及び第２出力信号Ｑ２は、それぞれ回転速度を示す情報を含んだ出力信号である。即ち、第１出力信号Ｑ１及び第２出力信号Ｑ２は、パルス形状によって回転方向を示し、パルス周期（周波数）によって回転速度を示す信号である。
【００３７】
第３出力信号Ｑ３は、第１出力信号Ｑ１及び第２出力信号Ｑ２とは異なる波形の信号である。つまり、第３出力信号Ｑ３の各パルスは、第１出力信号Ｑ１のパルス、第２出力信号Ｑ２のパルスとは異なる形状である。特許文献１に記載された従来技術のように、第１出力信号Ｑ１のパルスと第２出力信号Ｑ２のパルスとを組み合わせて全体として第１出力信号Ｑ１及び第２出力信号Ｑ２と異なる波形を形成することは可能である。しかし、この方法では、単一のパルスをもって、異常の有無や回転方向を表現することはできない。従って、回転検出センサ２０の出力信号Ｑを受けて情報を取得する制御装置は、単一のパルスから異常の有無や回転方向などの情報を取得することはできない。しかし、本発明を適用すれば、第３出力信号Ｑ３は第１出力信号Ｓ１及び第２出力信号Ｓ２のパルスとは異なるパルス形状を有するので、単一のパルスにより異常の有無を表現することができる。
【００３８】
本実施形態において、第３出力信号Ｑ３は、回転検出信号Ｓ１及びＳ２の内、正常な回転検出信号を用いて生成される。一例として、信号処理部８は正常な回転検出信号Ｓをそのまま第３出力信号Ｑ３として出力することができる。上述したように、本実施形態では、第１出力信号Ｓ１及び第２出力信号Ｓ２が、回転検出信号Ｓ１及びＳ２とは異なるパルス形状を有して生成される。従って、正常な回転検出信号Ｓをそのまま第３出力信号Ｑ３としても、第１出力信号Ｑ１及び第２出力信号Ｓ２とは異なるパルス形状を有する信号となる。
【００３９】
図６に、第３出力信号Ｑ３の一例を示す。図６に示す例においては、第２磁気検出部１Ｂに異常があり、回転検出信号Ｓ２が正常ではない場合を示している。本例では、第１磁気検出部１Ａの回転検出信号Ｓ１が正常であるので、当該回転検出信号Ｓ１が第３出力信号として出力される。第３出力信号Ｑ３は、第１出力信号Ｑ１及び第２出力信号Ｑ２とは異なるパルス形状を有し、このパルス形状によって、回転方向を示すのではなく、磁気検出部１が異常であることを示す。一方、第３出力信号Ｑ３のパルスの周期は、第３出力信号Ｑ３の生成に用いられた回転検出信号Ｓ１又はＳ２と同じである。従って、第３出力信号Ｑ３は、第１出力信号Ｑ１及び第２出力信号Ｑ２と同様に、パルスの周期によって回転速度を示す出力信号である。
【００４０】
上述したように、回転方向の検出には２相の回転検出信号Ｓ１及びＳ２が必要である。しかし、回転速度の検出には何れか一方の回転検出信号Ｓ１又はＳ２があれば足りる。磁気検出部１が異常な場合に出力される第３出力信号Ｑ３は、少なくとも回転速度を示す情報を含んでいる。従って、磁気検出部１Ａ及び１Ｂの何れか一方に異常が生じても他方が正常であれば、回転検出センサ２０は、少なくとも回転体３０の回転速度を検出することが可能である。
【００４１】
本実施形態において、回転検出センサ２０は、回転方向、回転速度、磁気検出部１の異常有無などの情報を電流出力信号として出力する。このため、回転検出センサ２０は、電流出力部９を備えている。電流出力部９は、電源１０より電流の供給を受け、信号処理部８からの出力信号Ｑ（Ｑ１、Ｑ２、Ｑ３）を電流出力信号として出力する。電流出力部９は、出力信号ＱがＬｏレベルの場合には少ない電流値で出力信号Ｑを出力し、Ｈｉレベルの場合には所定の電流を加算して出力信号Ｑを出力する。
【００４２】
尚、図２、図３、図６に示したそれぞれの出力信号Ｑのパルス形状については、適宜変更することが可能である。パルス形状によって、第１出力信号Ｑ１、第２出力信号Ｑ２、第３出力信号Ｑ３のそれぞれの信号が区別可能に構成されれば充分である。
【００４３】
図７は、上述した機能を備えた回転検出センサ２０の信号処理手順の一例を示すフローチャートである。上述したように、回転検出信号Ｓが異常であるか否かが異常検出部６によって検出される。異常がない場合には、回転方向検出部４において検出された回転方向に準じて、信号処理部８において第１出力信号Ｓ１又は第２出力信号Ｓ２が生成され、出力される。
【００４４】
回転検出信号Ｓが異常であると判定された場合には、リセット部７により異常な磁気検出部１Ａ又は１Ｂがリセットされる。そして、再度回転検出信号Ｓが異常であるか否かが異常検出部６によって検出される。ここで、異常状態が解消されていれば、回転方向検出部４において検出された回転方向に準じて、信号処理部８において第１出力信号Ｓ１又は第２出力信号Ｓ２が生成され、出力される。
【００４５】
リセット部７により磁気検出部１がリセットされても異常状態が解消されない場合には、信号処理部８において第３出力信号Ｓ３が生成され出力される。
【００４６】
〔第２実施形態〕
出力信号Ｑは、図２、図３、図６に示した例に限定されることなく、種々の形態をとることができる。図８、図９、図１０は、回転検出センサ２０の出力信号の第２の例を示す波形図である。図８は、正回転時の回転検出センサ２０の出力信号（第１出力信号Ｑ１）を示し、図９は、逆回転時の回転検出センサ２０の出力信号（第２出力信号Ｑ２）を示している。
【００４７】
第１実施形態と同様に、第１出力信号Ｑ１及び第２出力信号Ｑ２は、一方の回転検出信号Ｓ１のパルスがＨｉ状態（ハイレベル）となっている区間における他方の回転検出信号Ｓ２のパルスの状態に応じて生成される。具体的には、第１磁気検出部１Ａの回転検出信号Ｓ１がＨｉ状態の時に、第２磁気検出部１Ｂの回転検出信号Ｓ２がＨｉ状態となると、回転検出信号Ｓ１と回転検出信号Ｓ２との論理和のパルスが、第１出力信号Ｑ１として出力される。即ち、回転検出信号Ｓ１及びＳ２のＨｉ状態のパルス幅よりも広いパルス幅を有する信号として、第１出力信号Ｑ１が出力される。第１磁気検出部１Ａの回転検出信号Ｓ１がＨｉ状態の時に、第２磁気検出部１Ｂの回転検出信号Ｓ２がＬｏ状態（ローレベル）となると、回転検出信号Ｓ１と回転検出信号Ｓ２との論理積のパルスが、第２出力信号Ｑ２として出力される。即ち、回転検出信号Ｓ１及びＳ２のＨｉ状態のパルス幅よりも狭いパルス幅を有する信号として、第２出力信号Ｑ２が出力される。第２出力信号Ｑ２のパルスは、第１出力信号Ｑ１のパルスよりもＨｉ区間において狭幅な形状である。このパルス幅により、回転方向が示される。
【００４８】
第１出力信号Ｑ１及び第２出力信号Ｑ２は、上述したように、２相の回転検出信号Ｓ１及びＳ２に対して論理演算を施すことによって生成することもできるが、下記のようにして生成することもできる。即ち、一方の回転検出信号Ｓ１の立ち上がりで立ち上がり、他方の回転検出信号Ｓ２の立ち下りで立ち下がる信号を第１出力信号Ｑ１及び第２出力信号Ｑ２としてもよい。一方の回転検出信号Ｓ１よりも他方の回転検出信号Ｓ２が遅れて立ち上がる場合には、Ｈｉ区間のパルス幅が長くなり、図８に示すような第１出力信号Ｑ１が得られる。一方の回転検出信号Ｓ１よりも他方の回転検出信号Ｓ２が先に立ち上がる場合には、回転検出信号Ｓ２が回転検出信号Ｓ１よりも先に立ち下がるため、Ｈｉ区間のパルス幅が短くなり、図９に示すような第２出力信号Ｑ２が得られる。
【００４９】
図１０は、磁気検出部１が異常状態の時の回転検出センサ２０の出力信号（第３出力信号Ｑ３）を示している。本例では、２相の回転検出信号Ｓ１及びＳ２の内、正常な回転検出信号のＨｉ区間のパルス幅と同じパルス幅を有して第３出力信号Ｑ３が出力される。第３出力信号Ｑ３のパルスは、第１出力信号Ｑ１及び第２出力信号Ｑ２とは異なる幅のパルスであり、本例ではＨｉ区間において第１出力信号Ｑ１のパルス幅よりも狭く、第２出力信号Ｑ２のパルス幅よりも広い幅のパルスである。このパルス幅により、磁気検出部１の異常状態が示される。
【００５０】
尚、図８〜図１０に示したパルス幅の関係については、適宜変更することが可能である。例えば、第１出力信号Ｑ１のパルス幅を第２出力信号Ｑ２よりも狭くしてもよい。また、２相の回転検出信号Ｓ１及びＳ２の内、正常な回転検出信号のＨｉ区間のパルス幅と同じパルス幅を有して第３出力信号Ｑ３が出力されることに限定されることなく、別のパルス幅を有して出力されてもよい。パルス幅によって、第１出力信号Ｑ１、第２出力信号Ｑ２、第３出力信号Ｑ３のそれぞれの信号が区別可能に構成されれば充分である。
【００５１】
〔第３実施形態〕
図１１、図１２、図１３は、回転検出センサ２０の出力信号の第３の例を示す波形図である。図１１は、正回転時の回転検出センサ２０の出力信号（第１出力信号Ｑ１）を示し、図１２は、逆回転時の回転検出センサ２０の出力信号（第２出力信号Ｑ２）を示している。
【００５２】
第１実施形態と同様に、第１出力信号Ｑ１及び第２出力信号Ｑ２は、一方の回転検出信号Ｓ１のパルスがＨｉ状態（ハイレベル）となっている区間における他方の回転検出信号Ｓ２のパルスの状態に応じて生成される。具体的には、第１磁気検出部１Ａの回転検出信号Ｓ１がＨｉ状態となる時（立ち上がり時）に、第２磁気検出部１Ｂの回転検出信号Ｓ２がＬｏ状態の場合には、回転検出信号Ｓ１及びＳ２よりもＨｉ状態のパルスの振幅が小さい信号が、第１出力信号Ｑ１として出力される。第１磁気検出部１Ａの回転検出信号Ｓ１がＨｉ状態となる時に、第２磁気検出部１Ｂの回転検出信号Ｓ２がＨｉ状態の場合には、回転検出信号Ｓ１及びＳ２よりもＨｉ状態のパルスの振幅が大きい信号が、第２出力信号Ｑ２として出力される。第１出力信号Ｑ１のパルスは、第２出力信号Ｑ２のパルスよりもＨｉ区間において振幅が小さい形状である。この振幅により、回転方向が示される。
【００５３】
図１３は、磁気検出部１が異常状態の時の回転検出センサ２０の出力信号（第３出力信号Ｑ３）を示している。本例では、２相の回転検出信号Ｓ１及びＳ２の内、正常な回転検出信号のＨｉ区間の振幅と同じ振幅を有して第３出力信号Ｑ３が出力される。第３出力信号Ｑ３のパルスは、第１出力信号Ｑ１及び第２出力信号Ｑ２とは異なる振幅のパルスであり、本例ではＨｉ区間において第１出力信号Ｑ１の振幅よりも大きく、第２出力信号Ｑ２の振幅よりも小さい振幅のパルスである。この振幅により、磁気検出部１の異常状態が示される。
【００５４】
尚、図１１〜図１３に示した振幅の関係については、適宜変更することが可能である。例えば、第２出力信号Ｑ２の振幅を第１出力信号Ｑ１よりも小さくしてもよい。また、２相の回転検出信号Ｓ１及びＳ２の内、正常な回転検出信号のＨｉ区間の振幅と同じ振幅を有して第３出力信号Ｑ３が出力されることに限定されることなく、別のパルス幅を有して出力されてもよい。振幅によって、第１出力信号Ｑ１、第２出力信号Ｑ２、第３出力信号Ｑ３のそれぞれの信号が区別可能に構成されれば充分である。
【００５５】
〔第４実施形態〕
上述したように、回転検出信号Ｓのパルスの一周期の時間は、回転体３０の回転速度によって異なる。回転体３０が回転を始める際や、回転方向が切り替わる際は、回転速度が非常に遅い。従って、回転検出信号Ｓのパルスの周期は非常に長くなる。上述したように、回転検出信号Ｓのパルスの変化が所定時間Ｔに亘ってないことによって異常検出部６が磁気検出部１の異常を検出する場合には、判定基準となる所定時間Ｔを非常に長い時間に設定する必要がある。回転速度に応じて所定時間Ｔを変更する場合においても、回転速度が非常に遅い時には、実質的に異常検出が行われないことと同様である。従って、回転体３０の回転速度が所定の回転速度（周波数）に達した後に、異常判定を実施するように構成すると好適である。
【００５６】
図１４は、図７に示したフローチャートに対して上記のような改変を加えた処理を示すフローチャートである。始めに、回転速度検出部５において測定された回転検出信号Ｓの周波数が所定周波数以上であるか否かが判定される。所定周波数未満であると判定された場合には、この回転検出信号Ｓの周波数判定が繰り返し実行される。
【００５７】
回転検出信号Ｓの周波数が所定周波数以上であると判定されると、上述したように、回転検出信号Ｓが異常であるか否かが異常検出部６によって検出される。異常がない場合には、回転方向検出部４において検出された回転方向に準じて、信号処理部８において第１出力信号Ｓ１又は第２出力信号Ｓ２が生成され、出力される。
【００５８】
回転検出信号Ｓが異常であると判定された場合には、リセット部７により異常な磁気検出部１Ａ又は１Ｂがリセットされる。そして、再度回転検出信号Ｓが異常であるか否かが異常検出部６によって検出される。ここで、異常状態が解消されていれば、回転方向検出部４において検出された回転方向に準じて、信号処理部８において第１出力信号Ｓ１又は第２出力信号Ｓ２が生成され、出力される。
【００５９】
リセット部７により磁気検出部１がリセットされても異常状態が解消されない場合には、信号処理部８において第３出力信号Ｓ３が生成され出力される。
【００６０】
以上、説明したように、本発明によって、回転体の回転速度に依存されることなく、センサの異常を当該センサ自身により検出して出力することが可能な回転検出センサを提供することができる。
【図面の簡単な説明】
【００６１】
【図１】本実施形態の回転検出センサの構成例を模式的に示すブロック図
【図２】正回転時の回転検出信号の例、及び回転検出センサの出力信号の例を示す波形図
【図３】逆回転時の回転検出信号の例、及び回転検出センサの出力信号の例を示す波形図
【図４】正常ではない回転検出信号の例を示す波形図
【図５】正常ではない回転検出信号の例を示す波形図
【図６】異常時の回転検出信号の例、及び回転検出センサの出力信号の例を示す波形図
【図７】回転検出センサの信号処理手順の一例を示すフローチャート
【図８】正回転時の回転検出センサの出力信号の第２の例を示す波形図
【図９】逆回転時の回転検出センサの出力信号の第２の例を示す波形図
【図１０】異常時の回転検出センサの出力信号の第２の例を示す波形図
【図１１】正回転時の回転検出センサの出力信号の第３の例を示す波形図
【図１２】逆回転時の回転検出センサの出力信号の第３の例を示す波形図
【図１３】異常時の回転検出センサの出力信号の第３の例を示す波形図
【図１４】回転検出センサの信号処理手順の他の例を示すフローチャート
【符号の説明】
【００６２】
１、１Ａ、１Ｂ：磁気検出部（回転検出部）
４：回転方向検出部
６：異常検出部
７：リセット部
８：信号処理部
３０：回転体
Ｑ：出力信号
Ｑ１：第１出力信号
Ｑ２：第２出力信号
Ｑ３：第３出力信号
Ｓ、Ｓ１、Ｓ２：回転検出信号
Ｔ：所定時間
【図１】
2009103617.tif 000003
【図２】
2009103617.tif 000004
【図３】
2009103617.tif 000005
【図４】
2009103617.tif 000006
【図５】
2009103617.tif 000007
【図６】
2009103617.tif 000008
【図７】
2009103617.tif 000009
【図８】
2009103617.tif 000010
【図９】
2009103617.tif 000011
【図１０】
2009103617.tif 000012
【図１１】
2009103617.tif 000013
【図１２】
2009103617.tif 000014
【図１３】
2009103617.tif 000015
【図１４】
2009103617.tif 000016